(57)【特許請求の範囲】
【請求項１】
扉が取り付けられる取付部に当該扉を回動自在に取り付けるための扉取付部材であって、
前記扉を回動自在に支持する支持部を備えた本体部と、
前記本体部内に設けられた空隙に収容され、当該空隙の内壁に案内されて移動可能な移動片と、
前記扉にて塞がれる開放部における見付け方向に前記本体部を移動可能に保持しつつ当該本体部を覆うカバー部材と、
前記カバー部材を、前記開放部における見込み方向に移動可能に保持しつつ前記取付部との間に位置させて当該取付部に固定される固定部材と、
前記カバー部材を挿通して前記本体部に螺合され、回動されて本体部を前記見付け方向に移動させることにより前記支持部の前記見付け方向における位置を調整するための第１調整ねじと、
前記見込み方向に前記カバー部材を挿通して前記本体部内に挿入されるとともに前記移動片に螺合され、回動されて前記移動片を前記見込み方向に移動させることにより前記支持部の前記見込み方向における位置を調整するための第２調整ねじと、
前記固定部材と前記カバー部材とを上下方向に挿通するとともに前記本体部内の前記移動片に螺合され、締め込まれて前記カバー部材と前記本体部と前記固定部材とを固定する固定ねじと、
を有することを特徴とする扉取付部材。
【請求項２】
請求項１に記載の扉取付部材であって、
前記固定部材は、前記移動片の上下に位置する部位を有し、
前記固定ねじは、上下のいずれか一方から前記移動片を貫通し、前記固定部材の他方側の部位に挿通されて固定されることを特徴とする扉取付部材。
【請求項３】
請求項１または請求項２に記載の扉取付部材であって、
カバー部材は、２対の対向面を有し、一方の対向面が前記本体部の上下に位置し、他方の対向面が前記本体部を前記見込み方向における両側に位置することを特徴とする扉取付部材。
【請求項４】
請求項１乃至請求項３のいずれかに記載の扉取付部材であって、
前記カバー部材は、前記固定部材に対し見込み方向に揺動自在に支持されていることを特徴とする扉取付部材。
【請求項５】
請求項１乃至請求項４のいずれかに記載の扉取付部材であって、
前記カバー部材は、前記本体部及び前記本体部に螺合された前記第１調整ねじとともに揺動することを特徴とする扉取付部材。
【発明の詳細な説明】
【技術分野】
【０００１】
本発明は、扉が取り付けられる取付部に当該扉を回動自在に取り付けるための扉取付部材に関する。
【背景技術】
【０００２】
扉が取り付けられる取付部に当該扉を回動自在に取り付けるための扉取付部材としては、例えば門扉や玄関用扉などを取り付ける扉取付用のヒンジなどが知られている（特許文献１参照）。扉取付用のヒンジは、取り付けられる扉の位置をねじなどによって容易に調整できるものがある。このようなヒンジは、扉の支持部が設けられた支持アーム内に収容された調整片をねじにて見込み方向に移動させることにより、支柱等に取り付けられた本体に対する支持部の見込み方向の位置を調整することが可能であり、また、支持アームを本体に対し見付け方向に移動可能なねじにより支持部を見付け方向に移動させることが可能である。そして、支持部の位置調整後は支持アームと本体とが固定ねじにて固定される。
【特許文献１】実開平７−１２９３号公報
【発明の開示】
【発明が解決しようとする課題】
【０００３】
上記従来の扉取付部材は、支持部の位置調整後に支持アームと本体とを固定ねじにて固定するが、例えば調整片のように位置調整するために移動可能に設けられた部材が全て固定ねじにて固定されているわけではない。このため、扉を支持する支持部が安定しなかったり、また、誤って調整用のねじを回してしまった場合及び、何らかの原因で調整片が移動してしまうと支持部の位置が変わってしまい、扉が傾いたり滑らかに開閉できない畏れがあるという課題がある。
【０００４】
本発明は、かかる課題に鑑みてなされたものであり、その目的とするところは、位置調整後の支持部の位置が変わりにくい扉取付部材を提供することにある。
【課題を解決するための手段】
【０００５】
かかる目的を達成するために本発明の扉取付部材は、扉が取り付けられる取付部に当該扉を回動自在に取り付けるための扉取付部材であって、前記扉を回動自在に支持する支持部を備えた本体部と、前記本体部内に設けられた空隙に収容され、当該空隙の内壁に案内されて移動可能な移動片と、前記扉にて塞がれる開放部における見付け方向に前記本体部を移動可能に保持しつつ当該本体部を覆うカバー部材と、前記カバー部材を、前記開放部における見込み方向に移動可能に保持しつつ前記取付部との間に位置させて当該取付部に固定される固定部材と、前記カバー部材を挿通して前記本体部に螺合され、回動されて本体部を前記見付け方向に移動させることにより前記支持部の前記見付け方向における位置を調整するための第１調整ねじと、前記見込み方向に前記カバー部材を挿通して前記本体部内に挿入されるとともに前記移動片に螺合され、回動されて前記移動片を前記見込み方向に移動させることにより前記支持部の前記見込み方向における位置を調整するための第２調整ねじと、前記固定部材と前記カバー部材とを上下方向に挿通するとともに前記本体部内の前記移動片に螺合され、締め込まれて前記カバー部材と前記本体部と前記固定部材とを固定する固定ねじと、を有することを特徴とする扉取付部材である。
【０００６】
このような扉取付部材によれば、扉が支持される支持部の位置を調整するために、移動可能に設けられている本体部とカバー部とが、固定ねじに螺合された移動片とねじの頭部とにより挟み込まれて固定部材とともに固定される。このため、取付部に固定される固定部材に、本体部、カバー部、移動片のいずれもが固定されるので、位置調整後の支持部の位置が変化し難い、すなわち、ずれ難い扉取付部材を提供することが可能である。そして、支持部に支持される扉を安定した状態にて支持することが可能であり、滑らかに回動させることが可能である。
【０００７】
また、固定ねじは、見付け方向の位置を調整する第１調整ねじ及び見込み方向の位置を調整する第２調整ねじのいずれの方向とも異なる上下方向に配置されているので、固定ねじを締め込むことにより第１及び第２調整ねじによる調整に対してずれが生じにくい。このため、調整した状態を維持したままで容易に固定することが可能である。
【０００８】
かかる扉取付部材であって、前記固定部材は、前記移動片の上下に位置する部位を有し、前記固定ねじは、上下のいずれか一方から前記移動片を貫通し、前記固定部材の他方側の部位に挿通されて固定されることが望ましい。  
このような扉取付部材によれば、上下の一方から移動片に締め込まれた固定ねじが、移動片の他方側にて固定部材の他方側の部位に固定されるので、移動片より一方側にて固定されている固定ねじの他方側の端が振れにくくなり、本体部、カバー部、移動片がより安定して保持される。このため、支持部の位置がより変化しにくくなり、扉をより安定した状態にて支持して、より滑らかに回動させることが可能である。
【０００９】
かかる扉取付部材であって、カバー部材は、２対の対向面を有し、一方の対向面が前記本体部の上下に位置し、他方の対向面が前記本体部を前記見込み方向における両側に位置することが望ましい。  
支持部にて扉を支持すると支持部を備えている本体部には、扉の重量により大きな力が作用するが、移動片を収容するために空隙が設けられた本体部は、高い強度を備えることが難しい。このため、上記扉取付部材のように、２対の対向面を有するカバー部材の、一方の対向面を本体部の上下に位置させ、他方の対向面を本体部の見込み方向における両側に位置させて、カバー部材にて本体部を覆うことにより本体部を補強することが可能である。
【００１０】
かかる扉取付部材であって、前記カバー部材は、前記固定部材に対し見込み方向に揺動自在に支持されていることが望ましい。  
このような扉取付部材によれば、カバー部材に保持されている本体部が収容している移動片が見込み方向に移動されると、本体部とともにカバー部材を揺動させることが可能である。このため、本体部を補強した状態にて支持部の見込み方向の位置を調整可能な扉取付部材を実現することが可能である。
【００１１】
かかる扉取付部材であって、前記カバー部材は、前記本体部及び前記本体部に螺合された前記第１調整ねじとともに揺動することが望ましい。  
このような扉取付部材によれば、支持部の見込み方向の位置を調整するためにカバー部材が揺動された際に、カバー部材を挿通して本体部に螺合される第１調整ねじとカバー部材及び本体部とがとともに揺動されるので、第１調整ねじとカバー部材と本体部との配置を維持したままで揺動させることが可能である。このため、第１調整ねじがカバー部材や本体部に対し傾かないので見付け方向に調整された状態を安定した状態にて保持することが可能である。
【発明の効果】
【００１２】
本発明によれば、位置調整後の支持部の位置が変わりにくい扉取付部材を提供することができるという効果がある。
【発明を実施するための最良の形態】
【００１３】
以下、本発明の一実施形態に係る建具について図面を参照して説明する。本実施形態の扉取付部材は、例えば門柱に門扉を回動自在に支持するための所謂肘壺を構成する肘金物であり、組み合わされる壺金物は門扉側に設けられている。本実施形態では、扉を門扉とし、扉が取り付けられる取付部を門柱として説明する。以下の説明においては、門扉により塞がれる開放部、すなわち門扉にて仕切られた領域への出入り口における左右となる方向を見付け方向、領域の内外となる方向を見込み方向、上下となる方向を上下方向として説明する。そして、門扉にて仕切られた領域の内側から扉取付部材を見た状態について説明し、門柱に門扉が取り付けられた状態にて、門扉側を右側、門柱側を左側とし、門扉の手前側を内側、門扉より奥側を外側として示す。
【００１４】
扉取付部材１は、図１、図２に示すように門扉２を回動自在に支持する支持部としての軸ピン１１を備えた本体部５と、本体部５内に設けられた空隙１９に収容され、当該空隙１９の上下の内壁１５ａに案内されて移動可能な移動片２０と、門扉２にて塞がれる開放部における見付け方向に本体部５が移動可能に、当該本体部５を覆うカバー部材３０と、カバー部材３０を、開放部における見込み方向に移動可能に保持しつつ門柱３との間に位置させて門柱３に固定される固定部材５０と、カバー部材３０を挿通して本体部５に螺合され、回動されて本体部５を見付け方向に移動させることにより軸ピン１１の見付け方向における位置を調整するための第１調整ねじとしての見付け方向調整ボルト６０と、見込み方向にカバー部材３０を挿通して本体部５内に挿入されるとともに移動片２０に螺合され、回動されて移動片２０を見込み方向に移動させることにより軸ピン１１の見込み方向における位置を調整するための第２調整ねじとしての見込み方向調整ボルト６２と、固定部材５０とカバー部材３０とを、上下の一方としての上方側から他方としての下方側に挿通するとともに本体部５内の移動片２０に螺合され、締め込まれてカバー部材３０と本体部５と固定部材５０とを固定する固定ボルト６４と、を有している。図１には、扉取付部材１を覆い、固定部材５０と係合して取り付けられる外装部材４が示されているが、必ずしも設ける必要はない。
【００１５】
本体部５は、軸ピン１１が挿入されて固定される円筒状の軸保持部１２と軸保持部１２と繋がってほぼ直方体状をなす本体ブロック部１５とを有している。軸保持部１２は、円筒状の内部空間が上下方向に貫通するように配置され、上下方向のほぼ中央に縮径された底部１２ａを有している。軸ピン１１は、軸保持部１２の上方から挿入され、軸保持部１２の上方に突出する状態にて、軸保持部１２の下方から挿入されたねじ９にて底部１２ａに固定されている。
【００１６】
本体ブロック部１５は、扉取付部材１が門柱３に取り付けられた際に、見付け方向において軸保持部１２に対し門扉２と反対側に設けられており、正面から見た際に見付け方向の幅が上下方向の高さより長い長方形状をなしている。本体ブロック部１５の上下方向における中央部分には、正面から見た際に長方形状をなし、見込み方向に貫通された空隙１９が設けられている。
【００１７】
空隙１９を形成している上側の部位１５ｂには、上方と空隙１９とを連通し、見付け方向に長い楕円状の上開口１５ｃが設けられており、下側の部位１５ｄには、下方と空隙１９とを連通し、見付け方向に長い楕円状の下開口１５ｅが設けられている。また、空隙１９を形成する、軸保持部１２とは反対側の部位１５ｆには、見付け方向調整ボルト６０が螺合される見付け方向タップ孔１５ｇが見付け方向に貫通するように形成されている。
【００１８】
移動片２０は、直方体状のブロックであり、高さは空隙１９の高さより僅かに低く、見込み方向の幅は本体ブロック部１５の見込み方向の幅より小さく、見付け方向の幅は空隙１９の見付け方向の幅より十分に小さく形成されている。このため、移動片２０が空隙１９に収容されると、空隙１９を形成する上下の内壁１５ａに案内されて、見付け方向及び見込み方向に移動可能に形成されている。また、移動片２０には、見付け方向における左側の領域に見込み方向に貫通し見込み方向調整ボルト６２が螺合される見込み方向タップ孔２０ａが、また、見付け方向における右側の領域に上下方向に貫通し固定ボルト６４が螺合される上下方向タップ孔２０ｂが設けられている。
【００１９】
カバー部材３０は、本体ブロック部１５の高さより僅かに広く上下方向に間隔を隔てて配置された上板部３１及び下板部３２と、門柱３と反対側にて上板部３１と下板部３２との縁を繋ぐ正面板部３３と、上板部３１の門柱３側の縁から下方に垂設された垂壁部３４と、下板部３２の門柱３側の縁から上方に立設された立壁部３５と、正面板部３３の見付け方向における左側の縁から見込み方向において門柱３側に延出された延出部３６とを有している。正面板部３３と垂壁部３４及び立壁部３５とは、本体ブロック部１５の見込み方向の幅より僅かに広く間隔が隔てられている。
【００２０】
そして、カバー部材３０の右端側、すなわち延出部３６とは反対側の開放された部位から本体ブロック部１５が軸保持部１２とは反対側から挿入可能に設けられている。カバー部材３０に挿入された本体ブロック部１５は、上板部３１と本体ブロック部１５の上面とが、下板部３２と本体ブロック部１５の下面とが、正面板部３３と本体ブロック部１５の反門柱側の面１５ｈとが、垂壁部３４及び立壁部３５と本体ブロック部１５の門柱３側の面１５ｉとが、それぞれ僅かな間隔を隔てて対面して、本体部５はカバー部材３０に対し見付け方向に移動可能に保持される。
【００２１】
また、カバー部材３０に本体ブロック部１５が挿入されると、本体ブロック部１５の軸保持部１２とは反対側の面１５ｊがカバー部材３０の延出部３６と対面するように形成されている。延出部３６には、カバー部材３０内に挿入された本体部５の見付け方向タップ孔１５ｇに螺合される見付け方向調整ボルト６０が貫通される見付け方向貫通孔３６ａが形成されている。また、カバー部材３０の正面板部３３には、本体部５内に挿入されて移動片２０に螺合される見込み方向調整ボルト６２の挿通孔３３ａが形成されている。そして、カバー部材３０に本体ブロック部１５が挿入されて、本体部５がカバー部材３０に覆われた状態で、垂壁部３４及び立壁部３５が本体ブロック部１５の空隙１９を覆わないように構成されている。
【００２２】
上板部３１及び下板部３２には、見付け方向における中央より右側に見付け方向に長いカバー長孔３１ａが設けられており、見付け方向における中央より左側には固定部材５０に螺合されたねじ７が挿通される貫通孔３１ｂがそれぞれ設けられている。そして、上板部３１及び下板部３２に設けられた、貫通孔３１ｂ同士及びカバー長孔３１ａ同士は上下方向に対向する位置に設けられている。図１においては、下板部３２のカバー長孔及び貫通孔は示されていない。
【００２３】
固定部材５０は、扉取付部材１が門柱３に取り付けられた状態にて、カバー部材３０の上方を覆う固定上面部５１と、カバー部材３０の下方を覆う固定下面部５２と、カバー部材３０の反門柱側を覆い固定上面部５１と固定下面部５２とを繋ぐ前面部５３と、固定上面部５１の門柱３側の縁と繋がって門柱３と対面する上固定板部５４と、固定下面部５２の門柱３側の縁と繋がって門柱３と対面する下固定板部５５と、を有している。
【００２４】
上固定板部５４及び下固定板部５５には、それぞれ中央に固定部材５０を門柱３に固定するための固定孔５４ａ、５５ａが設けられている。固定上面部５１と固定下面部５２との上下方向の間隔は、カバー部材３０の高さより僅かに広く形成され、固定孔５４ａ、５５ａを貫通するボルト８により固定部材５０が門柱３に固定された際に、門柱３、固定上面部５１、前面部５３、固定下面部５２にて囲まれる空間にはカバー部材３０が見付け方向及び見込み方向に移動可能に収容される。
【００２５】
固定上面部５１及び固定下面部５２には、見付け方向における中央より右側に見込み方向に長い固定長孔５１ａが設けられており、見付け方向における中央より左側にはカバー部材３０を固定部材５０に移動自在に保持するためのねじ７が貫通されるタップ穴５１ｂ、５２ｂが設けられている。このため、固定上面部５１のタップ穴５１ｂに上方から螺合されたねじ７が下方に突出して、カバー部材３０の上板部３１に設けられた貫通孔３１ｂに挿通され、固定下面部５２のタップ穴（不図示）に下方から螺合されたねじ７が上方に突出して、カバー部材３０の下板部３２に設けられた 貫通孔(不図示)に挿通されると、カバー部材３０がねじ７を支点として見込み方向に揺動可能となる。また、固定部材５０の前面部５３には、カバー部材３０を挿通して本体部５内に挿入されるとともに移動片２０に螺合される見込み方向調整ボルト６２の挿通孔５３ａが形成されている。
【００２６】
扉取付部材１の組立は、まず、固定部材５０にカバー部材３０が揺動自在にねじ７にて取り付けられる。固定部材５０に取り付けられたカバー部材３０には、軸ピン１１が固定された本体ブロック部１５が、空隙１９に移動片２０が収容された状態で挿入される。そして、カバー部材３０の延出部３６の見付け方向貫通孔３６ａを貫通された見付け方向調整ボルト６０を本体部５の見付け方向タップ孔１５ｇに螺合することにより、本体部５を見付け方向に移動自在にカバー部材３０に取り付ける。
【００２７】
また、前面部５３の挿通孔５３ａからは見込み方向調整ボルト６２を挿通し、カバー部材３０の挿通孔３３ａを挿通させて本体部５に挿入させ、本体部５に収容されている移動片２０の見込み方向タップ孔２０ａに螺合する。これにより、見込み方向調整ボルト６２が回動されることにより移動片２０は固定部材５０に対し見込み方向に移動可能となる。
【００２８】
移動片２０には、固定部材５０の固定上面部５１に設けられた固定長孔５１ａ、カバー部材３０の上板部３１に設けられたカバー長孔３１ａ、本体ブロック部１５の空隙１９を形成する上側の部位１５ｂに設けられた楕円状の上開口１５ｃを、上下の一方としての上方から貫通させた固定ボルト６４を螺合する。この固定ボルト６４は、移動片２０を貫通して、本体ブロック部１５の空隙１９を形成する下側の部位１５ｄに設けられた楕円状の下開口１５ｅ、カバー部材３０の下板部３２に設けられたカバー長孔（不図示）、固定部材５０の固定下面部５２に設けられた固定長孔（不図示）を貫通し、固定下面部５２の下方に突出されてナット６６が螺合される。このため、移動片２０は、固定ボルト６４とともに見込み方向に移動可能であるとともに、固定ボルト６４を中心に見込み方向に揺動可能に構成されている。
【００２９】
このように組み立てられた扉取付部材１は、門柱３に設けられた溝部３ａに収容されるプレートナット６５に、固定部材５０の固定孔５４ａ、５５ａを貫通したボルト８が螺合されることにより門柱３に固定される。
【００３０】
そして、見付け方向調整ボルト６０が回動されてカバー部材３０に案内されて本体部５が見付け方向に移動することにより軸ピン１１の見付け方向の位置が調整され、見込み方向調整ボルト６２が回動されて移動片２０が見込み方向に移動することにより固定ボルト６４を介してカバー部材３０及び本体部５が移動され、固定部材５０に螺合されたねじ７を支点としてカバー部材３０及び本体部５が揺動して軸ピン１１の見込み方向の位置が調整される。このとき、カバー部材３０及び本体部５がねじ７を支点に揺動すると、固定部材５０の前面部５３とカバー部材３０及び本体部５とには傾きが生じるが、本体部５内に収容されている移動片２０も固定ボルト６４を中心に揺動することが可能なので、見込み方向調整ボルト６２は固定部材５０の前面部５３に対しほぼ直角な状態を維持することが可能である。すなわち、見込み方向調整ボルト６２が、前面部５３に対し傾かないため、より適切に調整することが可能である。
【００３１】
そして、軸ピン１１の位置が適切な位置に調整されると、固定ボルト６４が締め込まれ、固定ボルト６４の頭部と移動片２０とにより固定部材５０の固定上面部５１、カバー部材３０の上板部３１、本体部５の空隙１９の上側の部位１５ｂが締め込まれて強固に固定される。その後、固定部材５０の固定下面部５２より下方に突出している固定ボルト６４の先端側に螺合されているナット６６が締め込まれて固定ボルト６４の下端側も固定部材５０に保持される。
【００３２】
本実施形態の扉取付部材１によれば、門扉２が支持される軸ピン１１の位置を調整するために、移動可能に設けられている本体部５とカバー部材３０とが、固定ボルト６４に螺合された移動片２０と固定ボルト６４の頭部とにより挟み込まれ、固定部材５０とともに固定される。このため、門柱３に固定される固定部材５０に、本体部５、カバー部材３０、移動片２０のいずれもが固定されるので、軸ピン１１の位置が変化しないように、すなわちずれないように扉取付部材１を固定することが可能である。このため、軸ピン１１に支持される門扉２を安定した状態にて支持することが可能であり、滑らかに回動させることが可能である。また、固定ボルト６４は、見付け方向調整ボルト６０及び見込み方向調整ボルト６２のいずれの方向とも異なる上下方向に配置されているので、固定ボルト６４を締め込むことにより見付け方向調整ボルト６０及び見込み方向調整ボルト６２による調整にずれが生じにくい。このため、調整した状態を維持したままで、容易に且つ強固に固定することが可能である。
【００３３】
また、上方から移動片２０に締め込まれた固定ボルト６４が、移動片２０の下方にて固定部材５０の固定下面部５２にナット６６にて固定されるので、移動片２０より上側にて固定されている固定ボルト６４の下端が振れにくくなり、本体部５、カバー部材３０、移動片２０をより安定した状態にて保持することが可能である。このため、軸ピン１１の位置がより変化しにくくなり、門扉２をより安定した状態にて支持することが可能であり、より滑らかに回動させることが可能である。
【００３４】
ところで、軸ピン１１にて門扉２を支持すると軸ピン１１を備えている本体部５には、大きな力が作用するが、移動片２０が収容されるために上下方向および見込み方向に開口した（貫通した）空隙１９が設けられた本体部５は、高い強度を備えることが難しい。このため、上記扉取付部材１のように、カバー部材３０の上板部３１と下板部３２との対向面を本体ブロック部１５の上下に位置させ、正面板部３３と垂壁部３４及び立壁部３５を本体ブロック部１５の見込み方向における両側に位置させることにより、本体部５を補強することが可能である。
【００３５】
また、カバー部材３０に保持されている本体部５が収容している移動片２０が見込み方向に移動されると、本体部５とともにカバー部材３０が揺動されるので、本体部５を補強した状態にて軸ピン１１の見込み方向の位置を調整可能な扉取付部材１を実現することが可能である。
【００３６】
また、軸ピン１１の見込み方向の位置を調整するためにカバー部材３０が移動された際に、カバー部材３０を挿通して本体部５に螺合される見付け方向調整ボルト６０とカバー部材３０及び本体部５とがとともに移動されるので、見付け方向調整ボルト６０とカバー部材３０と本体部５との相対位置は変化しない。このため、見付け方向調整ボルト６０がカバー部材３０や本体部５に対し傾くことはなく、また、上述したように見込み方向調整ボルト６２が固定部材５０の前面部５３に対し傾くことはないので、見付け方向に調整された状態を維持しつつ見込み方向の位置を調整すること、また、見込み方向に調整された状態を維持しつつ見付け方向の位置を調整することが可能である。
【００３７】
上記実施形態においては、門柱３に取り付けられる扉取付部材（肘金物）１に軸ピン１１を設け、門扉２側に軸ピン１１を組み合わされる壺金物６を備えた例について説明したが、扉取付部材１側に壺金物を設け、門扉２側に肘金物を設けても良い。
【００３８】
上記実施形態においては、扉を門扉２とし取付部を門柱３としたが、これに限るものではない。
【００３９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４０】
【図１】本実施形態に係る扉取付部材の分解斜視図である。
【図２】門柱に固定された扉取付部材の縦断面図である。
【符号の説明】
【００４１】
１  扉取付部材、２  門扉、３  門柱、５  本体部、１１  軸ピン、１５ａ  内壁、
１９  空隙、２０  移動片、３０  カバー部材、３１  上板部、３２  下板部、
３３  正面板部、３４  垂壁部、３５  立壁部、５０  固定部材、５１  固定上面部、
５２  固定下面部、６０  見付け方向調整ボルト、６２  見込み方向調整ボルト、
６４  固定ボルト
【図１】
0004891932.tif 000002
【図２】
0004891932.tif 000003